(57)【要約】【課題】ネイルアートすることができ、クリップの保護カバーとしての機能を果たすクリップ用爪型カバー及び該クリップ用爪型カバーと該クリップ用爪型カバーを装着することができるプラスチック製クリップとを組み合わせたクリップセットを提供する。【解決手段】人間の爪様に外面が湾曲していると共に爪先に向かって伸びた形状の付爪本体２と該付爪本体２の内面から垂設されて該付爪本体２の短手方向に向かって走る薄板状被挟持壁３，３とを備えていると共に該被挟持壁３，３には付爪本体２の内面との間に嵌合溝５が形成されているクリップ用爪型カバー１。【選択図】  図５
2004324668.tif 000002
【特許請求の範囲】
【請求項１】
人間の爪様に外面が湾曲していると共に爪先に向かって伸びた形状の付爪本体と該付爪本体の内面から垂設されて該付爪本体の短手方向に向かって走る薄板状被挟持壁とを備えていると共に該被挟持壁には付爪本体の内面との間に嵌合溝が形成されていることを特徴とするクリップ用爪型カバー。
【請求項２】
人間の爪様に外面が湾曲した形状の付爪本体と該付爪本体の後部両側に対面して形成された下向き側壁部と付爪本体の内面から垂設されて該両側壁部に向かって走る薄板状被挟持壁とを備えていると共に該被挟持壁には付爪本体の内面との間に嵌合溝が形成されていることを特徴とするクリップ用爪型カバー。
【請求項３】
嵌合溝が付爪本体の内面に沿って湾曲して形成されている請求項１又は２記載のクリップ用爪型カバー。
【請求項４】
後方に嵌合窓が設けられていると共に該嵌合窓の両側部に側壁が設けられて該両側壁内面には支持軸が形成されて人間の爪様に外面が湾曲した形状の一方側挟持板と該一方側挟持板の嵌合窓に嵌まる側面視略凹状の補助板が後方に設けられた他方側挟持板と前記支持軸を中心として回動することによって前記補助板が押圧されて一方側挟持板と他方側挟持板との先端部を開閉させる操作板とから構成されて該操作板の回動により前記補助板が前記嵌合窓に嵌まり合って一方側挟持板と他方側挟持板との先端部が閉じるようになっているプラスチック製クリップの当該一方側挟持板の外面側に装着するクリップ用爪型カバーであって、人間の爪様に外面が湾曲していると共に爪先に向かって伸びた形状の付爪本体と該付爪本体の内面から垂設されて該付爪本体の短手方向に向かって走る薄板状被挟持壁と該被挟持壁の爪先側面にて付爪本体の内面との間に形成された嵌合溝とを備えており、該被挟持壁を前記一方側挟持板の嵌合窓に挿入して該嵌合窓の前方辺縁に嵌合溝を嵌め込むことができると共に付爪本体を一方側挟持板の外面側に装着することができることを特徴とするクリップ用爪型カバー。
【請求項５】
後方に嵌合窓を設けると共に該嵌合窓の両側部に側壁を設けて該両側壁内面には支持軸を形成して人間の爪様に外面が湾曲した形状の一方側挟持板と該一方側挟持板の嵌合窓に嵌まる側面視略凹状の補助板を後方に設けた他方側挟持板と前記支持軸を中心として回動することによって前記補助板を押圧して一方側挟持板と他方側挟持板との先端部を開閉させる操作板とから構成して該操作板の回動により前記補助板が前記嵌合窓に嵌まり合って一方側挟持板と他方側挟持板との先端部が閉じるようになっているプラスチック製クリップと、人間の爪様に外面が湾曲した形状の付爪本体と該付爪本体の後部両側に対面して形成された下向き側壁部と付爪本体の内面から垂設されて該両側壁部に向かって走る薄板状被挟持壁と該被挟持壁の爪先側面にて付爪本体の内面との間に形成された嵌合溝とを備えているクリップ用爪型カバーとを組み合わせたクリップセットであって、クリップ用爪型カバーの被挟持壁をプラスチック製クリップの一方側挟持板の嵌合窓に挿入して該嵌合窓の前方辺縁に嵌合溝を嵌め込むことにより付爪本体が一方側挟持板の外面側に装着されて操作板の回動により押圧された補助板が嵌合窓に嵌着されることによりクリップ用爪型カバーがプラスチック製クリップから抜けないように固定されるようになっていることを特徴とするクリップ用爪型カバーとプラスチック製クリップとを組み合わせたクリップセット。
【発明の詳細な説明】
【０００１】
【発明の属する技術分野】
本発明は、クリップ用爪型カバー及び該クリップ用爪型カバーとプラスチック製クリップとを組み合わせたクリップセットに関するものである。
【０００２】
【従来の技術】
周知の通り、人間の爪様に外面が凸状に湾曲した形状の付爪が若い女性に愛用されており、特許文献１には、爪に接着固定されるつけ爪本体と、指に取り付けられるリング体を備え、当該リング体と上記つけ爪本体とをチェーン体を介して連結した飾りつけ爪が開示されている。
【０００３】
また、若い女性の間では、携帯電話に嗜好性に富んだ好みのストラップを取り付けるというファッション性を意識した携帯電話の利用方法が流行している。そして、当該ストラップには携帯電話を保持するための衣服等に挟み込むクリップが取り付けられており、特許文献２には、二枚板で成るクリップ挟み板の一方側に表示板を設けて他方の挟み板に設けた掛けフックには掛け紐を連結したクリップ留めストラップが開示されている。
【０００４】
前記クリップの一種として、特許文献３には、図２５及び図２６に示すように、下部挟持板３０と該下部挟持板３０に載せた上部挟持板３１と該上部挟持板３１の後部に嵌め込んだ操作板３２とからなり、下部挟持板３０と上部挟持板３１との先端部の挟持歯３３，３３を操作板３２の回動操作により開閉するプラスチック製クリップ３４が開示されており、当該プラスチック製クリップ３４は、後方に嵌合窓３５が形成されて該嵌合窓３５の両側部に側壁３６，３６を設けて該両側壁内面には支持軸３７を形成して外面が人間の爪様に凸状に湾曲した形状の前記下部挟持板３０と、該下部挟持板３０の嵌合窓３５に嵌まる側面視略凹状の補助板３８を後方に設けた前記上部挟持板３１と、上部挟持板３１の補助板３８を下部挟持板３０の前方から支持軸３７の下に向かって通して下部挟持板３０の嵌合窓３５に嵌め込んだ状態にて前部３９を上部挟持板３１の後方から支持軸３７の下に向かって押入れて後部４０を支持軸３７を中心として回動することによって下部挟持板３０と上部挟持板３１との先端部の挟持歯３３，３３を開閉させる前記操作板３２とから構成されている。なお、図２５は、前記従来のプラスチック製クリップの分解斜視図であり、図２５の（ａ）は上部挟持板、図２５の（ｂ）は下部挟持板、図２５の（ｃ）は操作板を示し、図２５の（ｃ）に示す操作板については、裏面を上に向けて図示されている。また、図２６は図２５に図示する従来のプラスチック製クリップの長手方向中心線から逸れた位置の当該中心線と平行な線における端面図である。
【０００５】
【特許文献１】
特開平１０−２１５９４７号公報
【特許文献２】
登録実用新案第３０４６６６４号公報
【特許文献３】
特開２００１−１０７９１９号公報
【０００６】
【発明が解決しようとする課題】
本発明者等は、若い女性の間で流行っている付爪とそのファッション性豊かなネイルアートを携帯電話へ応用できないかとその具現化をはかるべく研究・実験を重ねた結果、一般に、携帯電話にはストラップが取り付けられて該ストラップには携帯電話を保持するための衣服等に挟み込むクリップが設けられていること、そして、当該クリップは、例えば図２５及び図２６に示すように、下部挟持板と該下部挟持板に載せた上部挟持板と該上部挟持板の後部に嵌め込んだ操作板とから構成されて該挟持板は人間の爪様に外面が湾曲して前記付爪の外形状に酷似した形状となっていることに着目し、ネイルアートした付爪をクリップに取り付ければ機能性重視のストラップがよりファッション性高いお洒落感覚のストラップとなり、ネイルアートした爪先とストラップとが統一されたネイルアートとなってコーディネイトする楽しみが得られ、しかも、付爪が、下部挟持板３０の嵌合窓３５と上部挟持板３１の補助板３８との間に形成された間隙に衣服等の糸屑が綿埃状態で挟まったり、内部に進入したりするのを防止するクリップの保護カバーとしての機能を果たすという刮目すべき知見を得、前記技術的課題を達成したものである。
【０００７】
【課題を解決するための手段】
前記技術的課題は、次の通りの本発明によって解決できる。
【０００８】
即ち、本発明に係るクリップ用爪型カバーは、人間の爪様に外面が湾曲していると共に爪先に向かって伸びた形状の付爪本体と該付爪本体の内面から垂設されて該付爪本体の短手方向に向かって走る薄板状被挟持壁とを備えていると共に該被挟持壁には付爪本体の内面との間に嵌合溝が形成されているものである。
【０００９】
また、本発明に係るクリップ用爪型カバーは、人間の爪様に外面が湾曲した形状の付爪本体と該付爪本体の後部両側に対面して形成された下向き側壁部と付爪本体の内面から垂設されて該両側壁部に向かって走る薄板状被挟持壁とを備えていると共に該被挟持壁には付爪本体の内面との間に嵌合溝が形成されているものである。
【００１０】
また、本発明は、前記いずれかのクリップ用爪型カバーにおいて、嵌合溝が付爪本体の内面に沿って湾曲して形成されているものである。
【００１１】
また、本発明に係るクリップ用爪型カバーは、後方に嵌合窓が設けられていると共に該嵌合窓の両側部に側壁が設けられて該両側壁内面には支持軸が形成されて人間の爪様に外面が湾曲した形状の一方側挟持板と該一方側挟持板の嵌合窓に嵌まる側面視略凹状の補助板が後方に設けられた他方側挟持板と前記支持軸を中心として回動することによって前記補助板が押圧されて一方側挟持板と他方側挟持板との先端部を開閉させる操作板とから構成されて該操作板の回動により前記補助板が前記嵌合窓に嵌まり合って一方側挟持板と他方側挟持板との先端部が閉じるようになっているプラスチック製クリップの当該一方側挟持板の外面側に装着するクリップ用爪型カバーであって、人間の爪様に外面が湾曲していると共に爪先に向かって伸びた形状の付爪本体と該付爪本体の内面から垂設されて該付爪本体の短手方向に向かって走る薄板状被挟持壁と該被挟持壁の爪先側面にて付爪本体の内面との間に形成された嵌合溝とを備えており、該被挟持壁を前記一方側挟持板の嵌合窓に挿入して該嵌合窓の前方辺縁に嵌合溝を嵌め込むことができると共に付爪本体を一方側挟持板の外面側に装着することができるものである。
【００１２】
さらに、本発明に係るクリップ用爪型カバーとプラスチック製クリップとを組み合わせたクリップセットは、後方に嵌合窓を設けると共に該嵌合窓の両側部に側壁を設けて該両側壁内面には支持軸を形成して人間の爪様に外面が湾曲した形状の一方側挟持板と該一方側挟持板の嵌合窓に嵌まる側面視略凹状の補助板を後方に設けた他方側挟持板と前記支持軸を中心として回動することによって前記補助板を押圧して一方側挟持板と他方側挟持板との先端部を開閉させる操作板とから構成して該操作板の回動により前記補助板が前記嵌合窓に嵌まり合って一方側挟持板と他方側挟持板との先端部が閉じるようになっているプラスチック製クリップと、人間の爪様に外面が湾曲した形状の付爪本体と該付爪本体の後部両側に対面して形成された下向き側壁部と付爪本体の内面から垂設されて該両側壁部に向かって走る薄板状被挟持壁と該被挟持壁の爪先側面にて付爪本体の内面との間に形成された嵌合溝とを備えているクリップ用爪型カバーとを組み合わせたクリップセットであって、クリップ用爪型カバーの被挟持壁をプラスチック製クリップの一方側挟持板の嵌合窓に挿入して該嵌合窓の前方辺縁に嵌合溝を嵌め込むことにより付爪本体が一方側挟持板の外面側に装着されて操作板の回動により押圧された補助板が嵌合窓に嵌着されることによりクリップ用爪型カバーがプラスチック製クリップから抜けないように固定されるものである。
【００１３】
【発明の実施の形態】
以下、本発明の実施の形態を図面に基づき説明する。
【００１４】
実施の形態１．
【００１５】
図１は本発明の実施の形態に係るクリップ用爪型カバーの平面図、図２は図１に図示するクリップ用爪型カバーの側面図、図３は図１に図示するクリップ用爪型カバーの正面図、図４は図１に図示するクリップ用爪型カバーの背面図、図５は図１に図示するクリップ用爪型カバーのＡ−Ａ線縦断面図であり、これらの図において、１は、人間の爪様に外面が凸状に湾曲して爪先に向かって伸びた長い形状の付爪本体２と、付爪本体２の後部両側に対面して形成された下向き側壁部３，３と、付爪本体２の内面から垂設されて付爪本体２の短手方向である両下向き側壁部３，３に向かって走る薄板状被挟持壁４とを備えたクリップ用爪型カバーであり、クリップ用爪型カバー１の被挟持壁４には付爪本体２の内面との間に嵌合溝５を形成するように凸状畦部６が走っており、嵌合溝５は付爪本体２の内面に沿って湾曲して形成されている。
【００１６】
次に、本実施の形態に係るクリップ用爪型カバーを取り付けることができる下部挟持板と該下部挟持板に載せた上部挟持板と該上部挟持板の後部に嵌め込んだ操作板とから構成されて操作板を回動することによって下部挟持板と上部挟持板との先端部が開閉するプラスチック製クリップについて説明する。
【００１７】
図６はプラスチック製クリップにおける下部挟持板の平面図、図７は図６に図示する下部挟持板の底面図、図８は図６に図示する下部挟持板のＢ−Ｂ線縦断面図、図９は図６に図示する下部挟持板を矢印Ｃ方向から見ている正面図であり、図１０はプラスチック製クリップにおける上部挟持板の平面図、図１１は図１０に図示する上部挟持板の底面図、図１２は図１０に図示する上部挟持板のＤ−Ｄ線縦断面図、図１３は図１０に図示する上部挟持板を矢印Ｅ方向から見ている正面図であり、図１４はプラスチック製クリップにおける操作板の平面図、図１５は図１４に図示する操作板の底面図、図１６は図１４に図示する操作板のＦ−Ｆ線縦断面図である。また、図１７は上部挟持板の補助板を下部挟持板の前方から支持軸の下に向かって通し入れた状態を示す下部挟持板と上部挟持板との縦断面図、図１８は上部挟持板の補助板を下部挟持板の前方から支持軸の下に向かって通して下部挟持板の嵌合窓に位置付けて操作板の前部を上部挟持板の後方から支持軸の下に向かって押入れた状態を示す下部挟持板と上部挟持板と操作板との縦断面図、図１９はプラスチック製クリップの先端部が閉じて挟持歯が互いに噛み合った状態を示す縦断面図であり、図２０はプラスチック製クリップの下部挟持板にクリップ用爪型カバーを取り付けた状態を示す縦断面図、図２１はプラスチック製クリップの下部挟持板にクリップ用爪型カバーを取り付けた後にプラスチック製クリップの先端部を閉じた状態を示す縦断面図、図２２は図６に図示する下部挟持板にクリップ用爪型カバーを取り付けた状態を示す正面図である。
【００１８】
本実施の形態に係るクリップ用爪型カバー１を装着することができるプラスチック製クリップ７（図１８参照）は、図２５及び図２６に示す従来のプラスチック製クリップ３４と同様に、下部挟持板（一方側挟持板）８（図６〜図９参照）と該下部挟持板８に載せた上部挟持板（他方側挟持板）９（図１０〜図１３参照）と該上部挟持板９の後部に嵌め込んだ操作板１０（図１４〜図１６）とから構成されている。そして、前記下部挟持板８の外面は人間の爪様に凸状に湾曲した形状となっており、後方に矩形の嵌合窓１１が設けられ、該嵌合窓１１の両側部には側壁１２，１２が設けられ、該両側壁１２，１２内面には支持軸１３が架設されている。また、前記上部挟持板９の外面は人間の爪様に湾曲した形状となっており、後方に前記下部挟持板８の嵌合窓１１に隙間を有して嵌まる下方に突き出した形状の側面視略凹状補助板１４が設けられ、該補助板１４の下面を形成している下部１４ａ  は前記嵌合窓１１に嵌まるように矩形状となっている。さらに、前記操作板１０の前部１５には前記下部挟持板８の支持軸１３に回動自在に嵌着される樋状軸受部１６が横断して形成されており、該軸受部１６の下部には前記補助板１４の上面を押圧するカム１７が形成されており、後部１８にはストラップ（図示せず。）等を取り付け易いように紐通し穴１９が形成されている。なお、２０は下部挟持板８の先端部に設けられた挟持歯であり、２１は操作板１０の回動により上部挟持板９が開閉するように誘導する支持棚であり、２２は下部挟持板８の挟持歯２０，２０と噛み合うように上部挟持板９の先端部に形成された挟持歯であり、２３は下部挟持板８の支持棚２１を摺動しながら上部挟持板９の先端部を開閉させる摺動軸である。
【００１９】
そして、前記クリップ７は、図１７に示すように、上部挟持板９の補助板１４を下部挟持板８の前方から支持軸１３の下に向かって通して下部挟持板８の嵌合窓１１に上部挟持板９の補助板１４を位置付けて、図１８に示すように、上部挟持板９の摺動軸２３を下部挟持板８の支持棚２１に当接さけて載せた状態とした後に上部挟持板９の後方から支持軸１３に操作板１０の軸受部１６を嵌め入れて操作板１０を支持軸１３を中心として下に向かって回し、操作板１０のカム１７を上部挟持板９の補助板１４の上面に乗り上げる前の状態に位置付ければ、下部挟持板８と上部挟持板９との先端部は開いた状態で保持され、図１９に示すように、操作板１０のカム１７を上部挟持板９の補助板１４の上面に乗り上げて下部挟持板８と上部挟持板９と操作板１０とが同一線上となる状態に位置付ければ、下部挟持板８と上部挟持板９との先端部は閉じた状態で保持されるようになっている。
【００２０】
爪型カバー１を装着することができるクリップ７が、図２５及び図２６に示す従来のプラスチック製クリップ３４と異なるところは、下部挟持板８と上部挟持板９との先端部が閉じた状態においては、図１９に示すように、嵌合窓１１の前方辺縁１１ａ  と補助板１４の下部１４ａ  おける前端辺１４ｂ  との間に隙間部２４が形成されるようになっていること、そして、当該隙間部２４が前記爪型カバー１に形成されている嵌合溝５における被挟持壁４の厚みと略同じ幅となるように寸法設定されていることである。
【００２１】
従って、図１８に示すように、下部挟持板８と上部挟持板９との先端部が開いている状態において、図２０に示すように、爪型カバー１の被挟持壁４を下部挟持板８の嵌合窓１１に挿入することができ、嵌合窓１１の前方辺縁１１ａ  に嵌合溝５を嵌め込むことができ、これにより、付爪本体２を下部挟持板８の外面に装着することができる。
【００２２】
爪型カバー１の付爪本体２を下部挟持板８の外面側に装着した後（図２０参照）、操作板１０を回動させて、図２１に示すように、下部挟持板８と上部挟持板９との先端部を閉じれば、嵌合窓１１の前方辺縁１１ａ  と補助板１４の下部１４ａ  における前端辺１４ｂ  との間に形成された隙間部２４に被挟持壁４が挟まった状態となり、被挟持壁４に形成されている凸状畦部６がクリップ７の内側において、嵌合窓１１の前方辺縁１１ａ  に迫り出した状態となってストッパーの役目を果すこととなるので、被挟持壁４が隙間部２４から抜けることはなく、これにより、爪型カバー１はクリップ７に固定されることとなる。
【００２３】
また、爪型カバー１には、下向き側壁部３，３が設けられており、図２２に示すように、当該下向き側壁部３，３はクリップ７の下部挟持板８における両側壁１２，１２を両側から挟むように該両側壁１２，１２に固定されるので、爪型カバー１の横擦れを防止することができる。
【００２４】
なお、爪型カバー１がクリップ７に密着状態で装着されれば、必ずしも下向き側壁部３，３は無くてもよい。また、嵌合窓１１の前方辺縁１１ａ  に嵌合溝５が嵌まればよいので、必ずしも嵌合溝５は付爪本体２の内面に沿って湾曲していなくてもよい。また、嵌合溝５は凸状畦部６によって形成される外、被挟持壁４に凹状の嵌合溝５が走っているものであってもよい。さらに、クリップ７において、下部挟持板８の支持軸１３は両側壁１２，１２に架設されているものではなく、両側壁１２，１２の両側から突出した突起軸であってもよい。
【００２５】
本実施の形態では、爪先のネイルアートと同じデザインのネイルアートを爪型カバー１の付爪本体２の外面に描いてクリップ７の嵌合窓１１に被挟持壁４を挿入して爪型カバー１をクリップ７に装着し、当該クリップ７をストラップに取り付ければ、機能性重視のストラップがよりファッション性高いお洒落感覚のストラップとなり、ネイルアートした爪先とストラップとが統一されたネイルアートとなってコーディネイトする楽しみを提供することができる。
【００２６】
また、当該ストラップは携帯電話等に取り付けられて、クリップ７は衣服等に挟み込んで携帯電話等を保持するために利用されるので、爪型カバー１は、下部挟持板８の嵌合窓１１と上部挟持板９の補助板１４との間に形成された間隙に衣服等の糸屑が綿埃状態で挟まったり、内部に進入したりするのを防止するクリップの保護カバーとしての機能を果たすことができる。
【００２７】
なお、従来のプラスチック製クリップ３４において、嵌合窓３５が前記クリップ７における嵌合窓１１と同様に前記隙間部２４が形成される条件を満たす形状に形成されておれば、実施の形態１の爪型カバー１を装着することができるのは勿論である。
【００２８】
実施の形態２．
【００２９】
本実施の形態は、実施の形態１の爪型カバー１と該爪型カバー１を装着することができる図６〜図２２に示すプラスチック製クリップ７とを組み合わせたクリップセットであり、プラスチック製クリップ７は、後方に嵌合窓１１を設け、該嵌合窓１１の両側部に側壁１２，１２を設け、該両側壁１２，１２内面に支持軸１３を形成して人間の爪様に外面に湾曲した形状の下部挟持板８と、下部挟持板８の嵌合窓１１に嵌まる側面視略凹状の補助板１４を後方に設けた上部挟持板９と、支持軸１３を中心として回動することによって補助板１４を押圧して下部挟持板８と上部挟持板９との先端部を開閉させる操作板１０とから構成され、操作板１０の回動により補助板１４が嵌合窓１１に嵌まり合って下部挟持板８と上部挟持板９との先端部が閉じるようになっている。
【００３０】
また、爪型カバー１は、実施の形態１と同様に、人間の爪様に外面が湾曲した形状の付爪本体２と、付爪本体２の後部両側に対面して形成された下向き側壁部３，３と、付爪本体２の内面から垂設されて両側壁部３，３に向かって走る薄板状被挟持壁４と、被挟持壁４の爪先側面にて付爪本体２の内面との間に形成された嵌合溝５とを備えている。
【００３１】
そして、クリップ７における下部挟持板８の嵌合窓１１の前後幅は上部挟持板９の補助板８の前後幅と爪型カバー１の被挟持壁４の厚さとを加えた幅と略同等の幅となっている。即ち、嵌合窓１１の前方辺縁１１ａ  と補助板１４の下部１４ａ  おける前端辺１４ｂ  との間には被挟持壁４の厚さに相当する隙間部２４が形成され、隙間部２４は爪型カバー１に形成されている嵌合溝５における被挟持壁４の厚みと略同じ幅となるように寸法設定されており、図２０及び図２１に示すように、嵌合窓１１に爪型カバー１の被挟持壁４を嵌め込んだ状態で上部挟持板９の補助板１４の下部１４ａ  が当該嵌合窓１１から着脱自在となるように寸法設定されている。
【００３２】
従って、本実施の形態においては、嵌合窓１１の前方辺縁１１ａ  に嵌合溝５を嵌め込んだ後に下部挟持板８の嵌合窓１１に上部挟持板９の補助板１４の下部１４ａ  を遊嵌状態で嵌着することによりクリップ用爪型カバー１をプラスチック製クリップ７から抜けないように固定することができるクリップ用爪型カバー１とプラスチック製クリップ７とを組み合わせたクリップセットを提供することができ、前記実施の形態１と同様の効果を奏することができる。
【００３３】
実施の形態３．
【００３４】
本実施の形態は前記実施の形態１に係るクリップ用爪型カバーの変形例であり、図１〜図５と同一符号は同一又は相当部分を示し、図２３は本発明の実施の形態に係るクリップ用爪型カバーの縦断面図である。同図におけるクリップ用爪型カバーは、付爪本体２の形状が実施の形態１のクリップ用爪型カバー１における付爪本体２の後端部を切除した形状となっており、下向き両側壁部３，３が付爪本体２の後端部において切り離された形状となっている。
【００３５】
また、図２４は本発明の実施の形態に係るクリップ用爪型カバーの縦断面図であり、同図におけるクリップ用爪型カバーは、実施の形態１のクリップ用爪型カバー１における下向き両側壁部３，３が無い形状となっている。
【００３６】
本実施の形態における変形例においても、実施の形態１と同様に被挟持壁４が設けられているので、実施の形態１と同様の効果を奏することができる。
【００３７】
【実施例】
全長２８．７ｍｍ，横幅１２．４ｍｍ，厚さ約０．７ｍｍ  ，人間の爪様に外面がＲ８．９ｍｍ  の凸状に湾曲した図１〜図５に示すプラスチック製のクリップ用爪型カバー１を作製した。付爪本体２の内面には先端から１６．３ｍｍの位置に被挟持壁４の背面が位置付けられるように長さ７．９ｍｍ  ，中央の高さ２．４ｍｍ  ，厚さ０．９ｍｍ  の被挟持壁４を垂設した。そして、溝幅１．１ｍｍ  ，湾曲Ｒ８．９ｍｍ  の嵌合溝５となるように高さ０．６ｍｍ  の凸状畦部６を形成した。なお、下向き側壁部３，３は先端から約１８．５ｍｍの位置の後部に形成した。
【００３８】
全長２７．８ｍｍ，横幅１２．２ｍｍ，厚さ１ｍｍ，人間の爪様に外面がＲ８．９ｍｍ  の凸状に湾曲した図６〜図９に示すプラスチック製の下部挟持板８を作製した。嵌合窓１１として先端から１５．３ｍｍの位置に縦横７．８ｍｍ  ×７．８ｍｍ  の正方形の窓を形成した。次に、全長２５．５ｍｍ，横幅１１ｍｍ，厚さ１ｍｍ，人間の爪様に外面がＲ８．９ｍｍ  の凸状に湾曲した図１０〜図１３に示すプラスチック製の上部挟持板９を作製した。補助板１４の下部１４ａ  を長手方向（先端方向）８．５ｍｍ  ，短手方向（横幅方向）７．６ｍｍ  ，外形厚さ１．０ｍｍ  の長方体に形成した。さらに、下部挟持板８及び上部挟持板９に合う全長１７．５ｍｍ，前部１５の横幅７．４ｍｍ  の図１４〜図１６に示すプラスチック製の操作板１０を作製した。
【００３９】
下部挟持板８と上部挟持板９と操作板１０とを図１７及び図１８に示すように組み込んでプラスチック製クリップ７を得た。操作板１０を回動させて図１９に示すように下部挟持板８と上部挟持板９との先端部を閉じたところ、当該クリップ７では、幅約１．２ｍｍ  の隙間部２４が形成されていた。
【００４０】
図２０に示すように、爪型カバー１の嵌合溝５を下部挟持板８における嵌合窓１１の前方辺縁１１ａ  に嵌め込んで装着した状態で図２１に示すように下部挟持板８と上部挟持板９との先端部を閉じることができた。また、閉じた状態で爪型カバー１を下部挟持板８から外そうとしたが外れなかった。また、図２０に示す下部挟持板８と上部挟持板９との先端部を開いた状態において、クリップ７を振っても外れることはなく、嵌合窓１１の前方辺縁１１ａ  と爪型カバー１の嵌合溝５との嵌合を解くことにより爪型カバー１をクリップ７から外すことができた。
【００４１】
【発明の効果】
本発明によれば、ネイルアートすることができ、クリップの保護カバーとしての機能を果たすクリップ用爪型カバーを提供することができ、当該クリップ用爪型カバーと該クリップ用爪型カバーを装着することができるプラスチック製クリップとを組み合わせたクリップセットを提供することができる。
【００４２】
従って、本発明の産業上利用性は非常に高いといえる。
【図面の簡単な説明】
【図１】本発明の実施の形態に係るクリップ用爪型カバーの平面図である。
【図２】図１に図示するクリップ用爪型カバーの側面図である。
【図３】図１に図示するクリップ用爪型カバーの正面図である。
【図４】図１に図示するクリップ用爪型カバーの背面図である。
【図５】図１に図示するクリップ用爪型カバーのＡ−Ａ線縦断面図である。
【図６】プラスチック製クリップにおける下部挟持板の平面図である。
【図７】図６に図示する下部挟持板の底面図である。
【図８】図６に図示する下部挟持板のＢ−Ｂ線縦断面図である。
【図９】図６に図示する下部挟持板を矢印Ｃ方向から見ている正面図である。
【図１０】プラスチック製クリップにおける上部挟持板の平面図である。
【図１１】図１０に図示する上部挟持板の底面図である。
【図１２】図１０に図示する上部挟持板のＤ−Ｄ線縦断面図である。
【図１３】図１０に図示する上部挟持板を矢印Ｅ方向から見ている正面図である。
【図１４】プラスチック製クリップにおける操作板の平面図である。
【図１５】図１４に図示する操作板の底面図である。
【図１６】図１４に図示するＦ−Ｆ線縦断面図である。
【図１７】上部挟持板の補助板を下部挟持板の前方から支持軸の下に向かって通し入れた状態を示す下部挟持板と上部挟持板との縦断面図である。
【図１８】上部挟持板の補助板を下部挟持板の前方から支持軸の下に向かって通して下部挟持板の嵌合窓に位置付けて操作板の前部を上部挟持板の後方から支持軸の下に向かって押入れた状態を示す下部挟持板と上部挟持板と操作板との縦断面図である。
【図１９】プラスチック製クリップの先端部が閉じて挟持歯が互いに噛み合った状態を示す縦断面図である。
【図２０】プラスチック製クリップの下部挟持板にクリップ用爪型カバーを取り付けた状態を示す縦断面図である。
【図２１】プラスチック製クリップの下部挟持板にクリップ用爪型カバーを取り付けた後にプラスチック製クリップの先端部を閉じた状態を示す縦断面図である。
【図２２】図６に図示する下部挟持板にクリップ用爪型カバーを取り付けた状態を示す正面図である。
【図２３】本発明の実施の形態に係るクリップ用爪型カバーの縦断面図である。
【図２４】本発明の実施の形態に係るクリップ用爪型カバーの縦断面図である。
【図２５】従来のプラスチック製クリップの分解斜視図である。
【図２６】図２５に図示する従来のプラスチック製クリップの長手方向中心線から逸れた位置の該中心線と平行な線における端面図である。
【符号の説明】
１  クリップ用爪型カバー
２  付爪本体
３  下向き側壁部
４  薄板状被挟持壁
５  嵌合溝
６  凸状畦部
７  プラスチック製クリップ
８  下部挟持板
９  上部挟持板
１０  操作板
１１  嵌合窓
１１ａ  前方辺縁
１２  側壁
１３  支持軸
１４  補助板
１６  樋状軸受部
２４  隙間部
【図１】
2004324668.tif 000003
【図２】
2004324668.tif 000004
【図３】
2004324668.tif 000005
【図４】
2004324668.tif 000006
【図５】
2004324668.tif 000007
【図６】
2004324668.tif 000008
【図７】
2004324668.tif 000009
【図８】
2004324668.tif 000010
【図９】
2004324668.tif 000011
【図１０】
2004324668.tif 000012
【図１１】
2004324668.tif 000013
【図１２】
2004324668.tif 000014
【図１３】
2004324668.tif 000015
【図１４】
2004324668.tif 000016
【図１５】
2004324668.tif 000017
【図１６】
2004324668.tif 000018
【図１７】
2004324668.tif 000019
【図１８】
2004324668.tif 000020
【図１９】
2004324668.tif 000021
【図２０】
2004324668.tif 000022
【図２１】
2004324668.tif 000023
【図２２】
2004324668.tif 000024
【図２３】
2004324668.tif 000025
【図２４】
2004324668.tif 000026
【図２５】
2004324668.tif 000027
【図２６】
2004324668.tif 000028